(57)【要約】【課題】  塗装時の刷毛部の先端が揃いやすく、塗装エリアの際などの塗装を可能にするまとまり性と、十分な含み量とを同時に実現できる塗装用刷毛を提供することである。【解決手段】  柄３に固定した刷毛部５を、中核層５ａと被覆層５ｂとで構成している。中核層５ａはウェーブ毛を含んで構成され、上記被覆層５ｂはストレート毛のみからなる。そして、上記被覆層５ｂが中核層５ａの周囲を覆い、中核層５ａが露出しないようにしている。【選択図】  図１
2016116798.tif 000002
【特許請求の範囲】
【請求項１】
ウェーブ毛を含んだ中核層と、
この中核層の周囲を覆うストレート毛のみからなる被覆層とで構成される刷毛部を備えた塗装用刷毛。
【請求項２】
上記被覆層の厚みは、刷毛部を塗装面に押しつけてその先端を広げたとき、上記中核層の毛先を露出させない厚みである請求項１に記載の塗装用刷毛。
【請求項３】
上記中核層は、ストレート毛とウェーブ毛とからなり、目的の塗料に応じて、ストレート毛とウェーブ毛との混合比を調整した請求項１又２に記載の塗装用刷毛。
【請求項４】
上記刷毛部の先端面に現れる上記中核層と被覆層とを色分けした請求項１〜３のいずれか１に記載の塗装用刷毛。
【発明の詳細な説明】
【技術分野】
【０００１】
この発明は、塗料を塗布するために用いる塗装用刷毛に関する。
【背景技術】
【０００２】
塗装用刷毛として、例えば、図４，５に示すものが従来から知られている。
この従来の塗装用刷毛は、合成樹脂製のストレート毛と、同じく合成樹脂製のウェーブ毛とを一定の比率で混ぜ合わせて毛束を構成するとともに、その毛束を結束帯１で結束して刷毛部２を構成し、上記結束帯１を柄３に取り付けたものである。上記柄３は一端側を二股に分岐した部材で、この二股部分である挟持部３ａ，３ｂに上記結束帯１を挟み込み、挟持部３ａ，３ｂの外側をワイヤー４で締め付けて刷毛部２を柄３に固定している。
【０００３】
このように、刷毛部２にウェーブ毛を用いたのは、ウェーブ毛が多くなればなるほど、刷毛部２内に塗料を保持するための空間が多くなり、塗料の含み量を多くできる点に着目したからである。
ただし、ウェーブ毛が１００％になると、刷毛部２のまとまり性が悪くなってしまう。そこで、従来は刷毛部２を、ウェーブ毛とストレート毛を混合して構成し、含み量とまとまり性とのバランスをとっていた。
そして、含み量とまとまり性のいずれかを優先させるときには、その用途に応じでウェーブ毛とストレート毛との混合比を調整していた。（特許文献１参照）。
【先行技術文献】
【特許文献】
【０００４】
【特許文献１】特許第４４５５５９９号公報
【発明の概要】
【発明が解決しようとする課題】
【０００５】
上記のようにした従来の塗装用刷毛では、塗装エリアの際や、シャープな線を必要とする個所をきれいに塗装するためには、まとまり性を優先させなければならなかったが、まとまり性を優先させるためには、ウェーブ毛の比率を小さくして含み量を犠牲にしていた。
【０００６】
一方、含み量を確保するためには、ウェーブ毛の比率を多くしなければならない。しかし、ウェーブ毛は、波形状なのでその見かけ上の長さを揃えることが難しく、ウェーブ毛を混合した上記刷毛部２は、その先端がばらばらになりやすかった。すなわち、ウェーブ毛の比率を多くして含み量を優先させれば、まとまり性が悪くなる。ウェーブ毛の比率が多い刷毛は、例えば刷毛部２を塗装面に押し付けたときに、その先端が不揃いになって、塗装エリアの際やシャープな線を必要する個所を塗装するときには、使いにくいという問題があった。
つまり、従来の塗装用刷毛では、まとまり性を最大限に生かしながら、含み量を多くするという要求を満たすことはできなかった。
【０００７】
また、上記したように、ウェーブ毛は長さがまちまちである。そのため、図５に示すように塗装面に押し付けて刷毛部２を湾曲させると、上記ウェーブ毛の中で長さが短いウェーブ毛ｗが上記刷毛部２から飛び出してしまうことがあった。このように、刷毛部２から外方へ飛び出したウェーブ毛ｗがあると、このウェーブ毛ｗから周囲に塗料が垂れてしまい、塗装エリアの際を塗装しているときなどに、塗装エリアの外を塗料で汚してしまうという問題もあった。
【０００８】
この発明の目的は、十分な含み量を維持しながら、まとまり性も満足できる塗装用刷毛を提供することである。
【課題を解決するための手段】
【０００９】
第１の発明は、ウェーブ毛を含んだ中核層と、この中核層の周囲を覆うストレート毛のみからなる被覆層とで構成される刷毛部を備えたことを特徴とする。
【００１０】
第２の発明は、上記被覆層の厚みを、刷毛部を塗装面に押しつけてその先端を広げたとき、上記中核層の毛先を露出させない厚みにしている。
なお、上記中核層の毛先を露出させない厚みとは、上記中核層におけるウェーブ毛の量によって変わる。例えば、ウェーブ毛の量が多く、被覆層が薄ければ、刷毛部の先端を広げたときに、中核層の毛先を露出しやすくなる。したがって、被覆層の厚みはウェーブ毛の量に応じて相対的に決まるものである。
また、被覆層を構成するストレート毛の剛性によっても、中核層の毛先が露出するかしないかが影響を受ける。したがって、被覆層の必要な厚みは、被覆層の剛性によっても相対的に決められる。
【００１１】
第３の発明は、上記中核層が、ストレート毛とウェーブ毛とからなり、目的の塗料に応じて、ストレート毛とウェーブ毛との混合比を調整したことを特徴とする。
なお、上記目的の塗料に応じて調整するとは、例えば、塗料の粘度が高い場合には、ウェーブ毛の比率を小さくし、塗料の粘度が低い場合にはウェーブ毛の比率を大きくするというように、使用する塗料の特性に応じてストレート毛とウェーブ毛との混合比を調整することを意味する。
【００１２】
第４の発明は、上記刷毛部の先端面に現れる上記中核層と被覆層とを色分けしたことを特徴とする。
【発明の効果】
【００１３】
第１の発明によれば、刷毛部の含み量を犠牲にすることなく、必要なまとまり性を実現できる。
すなわち、ウェーブ毛を含んだ中核層によって十分な含み量を維持しながら、ストレート毛からなる被覆層によって刷毛部のまとまり性をよくしている。
したがって、この発明の塗装用刷毛によれば、含み量を最大限に保ちながら、広い面積を効率よく塗装することができるし、塗装エリアの際や、シャープな線を必要とする個所をきれいに塗装することもできる。
また、中核層が被覆層に覆われているため、刷毛部の中からウェーブ毛が飛び出すことを防止できる。したがって、飛び出したウェーブ毛から、塗装エリアの外に塗料が垂れてしまうようなこともなくなる。
【００１４】
第２の発明によれば、刷毛部を塗装面に押し付ける塗装作業時に、中核層の毛先が露出することを防止できる。中核層が露出しないので、きれいに揃った被覆層の先端によって、塗装エリアの際や、シャープな線を必要とする個所をきれいに塗装することができる。
【００１５】
第３の発明によれば、用途に合わせて特性の異なる塗料を選択した場合にも、塗料の含み量を確保することができる。
例えば、刷毛部に絡み付きにくい粘度が低い塗料用には、中核層におけるウェーブ毛の比率を多くし、粘度が高い塗料用には、ウェーブ毛の比率をそれほど高くしないで、一定の含み量を確保できる。
【００１６】
第４の発明によれば、刷毛部の先端面の色分けによって、中核層と被覆層とを備えたこの発明の刷毛であることを、ユーザーに視覚的に認識させることができる。
【図面の簡単な説明】
【００１７】
【図１】実施形態における塗装用刷毛の刷毛部の先端側から見た図である。
【図２】実施形態の塗装用刷毛の先端を塗装面に押し付けて刷毛部を広げた状態を示した図である。
【図３】実施形態の刷毛部を塗装面に押し付けたときの拡大図である。
【図４】従来の塗装用刷毛の外観図である。
【図５】従来の塗装用刷毛の刷毛部を塗装面に押し付けたときの拡大図である。
【発明を実施するための形態】
【００１８】
図１〜３に、この発明の塗装用刷毛の一実施形態を示す。
この刷毛は、図４に示す従来の刷毛と同様に、柄３の一対の挟持部３ａ，３ｂ間に結束帯１を挟み込んでその外側をワイヤー４で締め付けている。
ただし、この実施形態の刷毛部５は、従来の刷毛部２とは構成が異なる。
【００１９】
図１は、刷毛部５の先端面から見た図であるが、この刷毛部５は中央部分の中核層５ａとその周囲を覆うように配置された被覆層５ｂとを、上記結束帯１で束ねて構成されている。上記中核層５ａは、例えば、ポリエステルなどの合成樹脂製のストレート毛とウェーブ毛とを混合した毛束であり、従来の刷毛部２と同様に構成されている。
なお、上記ウェーブ毛は、その製造工程において、例えば回転する一対の歯車間に素材である合成樹脂製のモノフィラメントを挟み込んで成形したものであり、上記歯車のピッチに対応した規則的な波形状を有するものである。ただし、ウェーブ毛はどのような方法で製造してもよい。
【００２０】
一方、被覆層５ｂは合成樹脂製のストレート毛のみからなる層である。この実施形態においては、上記被覆層５ｂを構成するストレート毛と、上記中核層５ａを構成するストレート毛及びウェーブ毛とを、全て同一素材で形成し、太さや見かけ上の長さもほぼ同等にしている。
また、上記被覆層５ｂのストレート毛の色を、中核層５ａを構成するストレート毛及びウェーブ毛とは異なる色にしている。
そして、上記被覆層５ｂを、中核層５ａの周囲に巻きつけるようにして刷毛部５を構成している。
【００２１】
また、上記中核層５ａの大きさやウェーブ毛の比率は、用途や塗料の種類に応じて設定するものである。
広い面積を塗装するための刷毛の場合には、中核層５ａのボリュームを大きくし、狭い部分を塗装するための刷毛の場合には中核層５ａのボリュームを小さめにする。
さらに、塗料の含み量を多くしたい場合には、中核層５ａを構成するウェーブ毛の比率を大きくする。
また、この塗装用刷毛を水性塗料など粘度が低い塗料に用いる場合には、ウェーブ毛の比率を多くし、粘度が高い塗料に用いる場合にはウェーブ毛の比率を比較的小さくすることで、必要な含み量を維持できる。
【００２２】
上記のように、用途や塗料に応じて構成された中核層５ａの周囲に巻きつける上記被覆層５ｂのストレート毛の量は、図１に示すように刷毛部５の先端面において中核層５ａの周囲を隙間なく囲むことができる量である。
また、被覆層５ｂの厚みは、図２に示すように、刷毛部５を塗装面に押し付けてその先端を広げたとき、上記中核層５ａの毛先を表面に露出させないために必要な厚みである。この必要な厚みは、上記中核層５ａにおけるウェーブ毛の量によっても変わるもので、例えば、ウェーブ毛の量が多い場合には、中核層５ａが広がりやすくなるので、それを露出させない被覆層５ｂの厚みは厚くならざるを得ない。
【００２３】
あるいは、ストレート毛の太さや材質を調整して被覆層５ｂの剛性を高めれば、被覆層５ｂの厚みをそれほど厚くしなくても、中核層５ａを押えてその露出を防ぐことも可能である。ただし、被覆層５ｂの剛性が高くなり過ぎると、被覆層５ｂと中核層５ａとがなじまなくなったり、刷毛部５全体の柔軟性が不足したりして、塗装がやり難くなることも予想されるため、被覆層５ｂの剛性をやたらに上げることは好ましくない。
【００２４】
上記のように、被覆層５ｂの厚みを適当に選択すれば、中核層５ａを構成する毛が、刷毛部５の先端面以外の部分で表面に現れることがなくなる。そのため、図２に示すように刷毛部５の先端を塗装面に押しつけたとしても、中核層５ａが被覆層５ｂの外側に出るようなことはない。したがって、刷毛部５を塗装面に押し付けたとき、その先端が被覆層５ｂによって揃うことになる。
【００２５】
すなわち、刷毛部５は、上記被覆層５ｂによって十分なまとまり性を維持できる。なお、上記刷毛部５のまとまり性がよいとは、刷毛部５の先端を塗装面に押し付けたときその先端が揃っているということである。
そのため、図２に示すように揃った被覆層５ｂの先端によって、塗装エリアの際や、シャープな線を必要とする個所をきれいに塗装することができる。
また、上記中核層５ａが被覆層５ｂで覆われているので、中核層５ａの中に長さが短いウェーブ毛があったとしても、それが刷毛部５から飛び出すこともない（図３参照）。そのため、刷毛部５から飛び出したウェーブ毛から塗料が垂れて、塗装エリアの外を汚してしまうようなこともない。
【００２６】
しかも、上記中核層５ａはウェーブ毛を含んでいるので、毛管現象を利用して塗料を保持するための空間が多く形成されている。そのため、塗料の含み量を多くでき、塗装作業中に、何度も塗料を含ませる必要がなくなる。特に、広い面積を塗装するときに、塗料を含ませる回数を少なくできることは、作業性をよくするために有用である。
つまり、この実施形態の塗装用刷毛を用いれば、塗料の含み量を多くすることと、塗装エリアの際や、シャープな線を必要とする個所をきれいに塗装することと、を同時に実現できる。
言い換えれば、刷毛部５のまとまり性を維持するために、塗料の含み量も犠牲にすることがない。
【００２７】
なお、この実施形態の中核層５ａは、ウェーブ毛とストレート毛とを一定の比率で混合して構成されているが、中核層５ａをウェーブ毛１００％で構成してもよく、その場合には含み量を最大にすることができる。
ただし、塗料の含み量は多ければよいというものではなく、例えば狭い塗装エリアの際や、シャープな線を必要とする個所を塗装する場合には、含み量が多すぎるとかえってやりにくいこともある。その場合には、ウェーブ毛の比率を小さくして適度な含み量を実現すればよい。
すなわち、この実施形態の塗装用刷毛は、中核層５ａのウェーブ毛の比率を調整することによって、必要な含み量を実現することができる。
【００２８】
なお、この実施形態では、上記ストレート毛及びウェーブ毛を同一の合成樹脂素材で形成しているが、これらの材質は限定されない。例えば、中核層５ａのストレート毛、ウェーブ毛及び被覆層５ｂのストレート毛が別々の素材であってもよいし、それぞれの毛が、複数の素材の毛を組み合わせたものでもよい。
また、上記中核層５ａのウェーブ毛として獣毛を用いることもできる。獣毛も、合成樹脂製のウェーブ毛と同様に直進性がないので、広がり易いという特性がある。このような獣毛を含んだ中核層５ａも上記被覆層５ｂで覆うことによって、塗料の含み量を多くしながら、同時にまとまり性をよくすることができる。
【００２９】
獣毛は、自然の状態でウェーブがあり、しかも、表面にキューティクルを備えているので、合成樹脂製のウェーブ毛よりもさらに含み量を多くすることができる。しかし、獣毛は水性塗料を用いたときには固まりやすい特性もあるので、水性塗料用の場合には、獣毛と合成樹脂製のウェーブ毛とを組み合わせ、ウェーブ毛に占める獣毛の比率を半分以下にするなどの工夫が必要である。
【００３０】
また、この実施形態では上記中核層５ａと被覆層５ｂとの色を変えているため、刷毛部５の先端面を見るだけで、この実施形態の塗装用刷毛と従来の塗装用刷毛とを一目で区別することができる。
つまり、十分な塗料の含み量と、まとまり性とを同時に満足する塗装用刷毛であることを、ユーザーに視覚的に認識させることができる。
なお、上記中核層５ａと被覆層５ｂとの色分けは、先端面に表れていればよいので、それぞれを構成する毛は、先端側のみ色分けするようにしてもよい。
【産業上の利用可能性】
【００３１】
この発明の塗装用刷毛は、塗装エリアの際や、シャープな線を必要とする個所から大面積まで、様々な塗装場面で使用できる。
【符号の説明】
【００３２】
５    刷毛部
５ａ    中核層
５ｂ    被覆層
【図１】
2016116798.tif 000003
【図２】
2016116798.tif 000004
【図３】
2016116798.tif 000005
【図４】
2016116798.tif 000006
【図５】
2016116798.tif 000007